(57)【要約】【課題】利用者は面倒な操作を行うことなく、他者が興味関心を持った情報であり、且つ、ある特定の種類の情報コンテンツを自動的に抽出すること。【解決手段】コミュニケーションサービスを提供する装置からコミュニケーションサービスを利用する利用者の利用者情報および当該利用者と所定の関係で紐付けられた他者情報を取得する利用者情報取得部１０１と、利用者情報および他者情報により特定される他者の投稿内容を示すデータを、取得する投稿内容取得部１０２と、データの中から、情報参照先アドレスを示す情報を抽出するＵＲＬ抽出部１０３と、アドレスが特定の種類の情報参照先を示すものか否かを判断するＵＲＬ判断部１０５と、アドレスが特定の種類の情報参照先を示すものであると判断された場合に、情報参照先からコンテンツを取得するコンテンツ取得部１０６と、コンテンツを元に配信データを作成する配信データ作成部１０８と、を備える。【選択図】図１
2012256252.tif 000002
【特許請求の範囲】
【請求項１】
コミュニケーションサービスを提供する装置から当該サービスを利用する利用者の利用者情報および当該利用者と所定の関係で紐づけられた他者情報を取得する利用者情報取得手段と、
前記利用者情報および前記他者情報により特定される他者の投稿内容を示すデータを、取得する投稿内容取得手段と、
前記データの中から、情報参照先アドレスを抽出するアドレス抽出手段と、
前記アドレスが特定の種類の情報参照先を示すものか否かを判断するアドレス判断手段と、
前記アドレスが前記特定の種類の情報参照先を示すものであると判断された場合に、前記情報参照先からコンテンツを取得するコンテンツ取得手段と、
前記コンテンツを元に配信データを作成する配信データ作成手段と、
を備えることを特徴とする情報抽出装置。
【請求項２】
前記アドレス抽出手段が抽出したアドレスが短縮されたアドレスである場合に、当該短縮アドレスを展開するアドレス展開手段を更に備える、
ことを特徴とする請求項１に記載の情報抽出装置。
【請求項３】
前記アドレス判断手段は、前記アドレスが有害サイトのドメインか否かを更に判断し、
前記アドレスが前記有害サイトのドメインであると判断された場合に、前記コンテンツ取得手段は、前記有害サイトのコンテンツを取得しない、
ことを特徴とする請求項１または２に記載の情報抽出装置。
【請求項４】
前記配信データを配信先装置に配信するデータ配信手段を更に備え、
前記配信データ作成手段は、前記コンテンツに含まれるテキスト情報、画像情報のうち何れか一つ、または複数の組み合わせを前記配信データとし、
前記データ配信手段は、前記配信先装置からの要求に応じ、該配信データを切り替えながら前記配信先装置に配信する、
ことを特徴とする請求項１〜３の何れか１項に記載の情報抽出装置。
【請求項５】
前記配信先装置からの前記要求は、フリックにより行われる、
ことを特徴とする請求項４に記載の情報抽出装置。
【請求項６】
前記ウェブページから取得した前記コンテンツをコンテンツ内容に応じてカテゴライズするコンテンツカテゴライズ手段を更に備え、
前記配信データ作成手段は、当該カテゴライズされたコンテンツを元にカテゴリ別の配信データを作成し、
前記データ配信手段は、前記カテゴリ別の配信データを前記配信先装置からの要求に応じて切り替えながら前記配信先装置に配信する、
ことを特徴とする請求項４に記載の情報抽出装置。
【発明の詳細な説明】
【技術分野】
【０００１】
本発明は、情報抽出装置に関するものである。
【背景技術】
【０００２】
従来、インターネット上のコミュニケーションサービスの一つとして、社会的ネットワークをインターネット上で構築するサービス、いわゆるソーシャルネットワークサービス（以下、「ＳＮＳ」という）が提供されている（例えば非特許文献１を参照）。ＳＮＳは、利用者がネットワーク上で友人関係を形成しコミュニケーションを行うものであるが、コミュニケーションの一つの方法として、利用者が自らの発言をネットワーク上に投稿したり、友人の投稿を閲覧あるいは友人の投稿に対して返答をしたりといったことが行われている。これらの友人の投稿には、投稿中に友人の発言に加え、例えば、更なる情報の参照先（ＵＲＬ（Uniform Resource Locator）。以下、単にＵＲＬという）が記述されている場合がある。
【先行技術文献】
【非特許文献】
【０００３】
【非特許文献１】ログとも、ＵＲＬ＜http://logtomo.jp/＞、平成２３年６月９日検索
【発明の概要】
【発明が解決しようとする課題】
【０００４】
以上に例示した従来のＳＮＳにおいて、利用者が友人の投稿中のＵＲＬ（例えば、ニュースサイトＵＲＬ）にアクセスしようとする場合、多数の友人の投稿を一つずつ確認し、投稿中のＵＲＬにアクセスする必要があった。更に、例えば、利用者が、友人の投稿中のＵＲＬのうち、ある特定の種類の情報（ニュースサイトＵＲＬにアクセスして取得できる情報）のみを閲覧したい場合であっても、多数の友人の投稿を確認し、且つ、その中に含まれる全てのＵＲＬにアクセスして内容を確認するというステップを経なければならなかった。
【０００５】
そこで、本発明は上記に鑑みてなされたもので、利用者が友人の投稿を一つずつ確認したりURLにアクセスしたりすることなく、特定の種類の情報（利用者が種類を予め特定できるように構成した場合には、利用者自身も関心のある情報）を抽出することが可能な情報抽出装置を提供することを目的とする。
【課題を解決するための手段】
【０００６】
上記課題を解決するために、本発明の情報抽出装置は、コミュニケーションサービスを提供する装置から当該サービスを利用する利用者の利用者情報および当該利用者と所定の関係で紐付けられた他者情報を取得する利用者情報取得手段と、前記利用者情報および前記他者情報により特定される他者の投稿内容を示すデータを、取得する投稿内容取得手段と、前記データの中から、情報参照先アドレスを抽出するアドレス抽出手段と、前記アドレスが特定の種類の情報参照先を示すものか否かを判断するアドレス判断手段と、前記アドレスが前記特定の種類の情報参照先を示すものであると判断された場合に、前記情報参照先からコンテンツを取得するコンテンツ取得手段と、前記コンテンツを元に配信データを作成する配信データ作成手段と、を備えることを特徴とする。
【０００７】
このような本発明の情報抽出装置によれば、利用者情報取得手段、投稿内容取得手段、アドレス抽出手段、アドレス判断手段、コンテンツ取得手段、および配信データ作成手段による一連の動作により、コミュニケーションサービスを利用する利用者と所定の関係で紐付けられた他者（例えば、友人）が関心を持つ情報であり、且つ、ある特定の種類の情報のみを抽出することができる。なお、所定の関係で紐付けられた他者情報とは、少なくともコミュニケーションサービスの利用者がそのサービス上で所定の関係（例えば、友人関係）があるかを示す情報を含むものであるが、これに限らず、利用者と他者との親密度等の関係性を示す情報を含むようにしても良い。このように、コミュニケーションサービス上に利用者と所定の関係で紐付けられた他者が存在しており、利用者情報と他者情報を取得するだけで、他者が興味関心を持った情報であり、且つ、ある特定の種類の情報コンテンツを自動的に抽出することができる。
【０００８】
また、本発明においては、前記アドレス抽出手段が抽出したアドレスが短縮されたアドレスである場合に、当該短縮アドレスを展開するアドレス展開手段を更に備えても良い。この発明によれば、抽出したアドレス（ＵＲＬ）が短縮ＵＲＬである場合にも、他者が関心を持つ情報を抽出することができる。
【０００９】
また、本発明において、前記アドレス判断手段は、前記アドレスが有害サイトのドメインか否かを更に判断し、前記アドレスが前記有害サイトのドメインであると判断された場合に、前記コンテンツ取得手段は、前記有害サイトのコンテンツを取得しないようにしても良い。この発明によれば、有害サイトからのコンテンツが配信されることを防止できる。
【００１０】
また、本発明においては、前記配信データを配信先装置に配信するデータ配信手段を更に備え、前記配信データ作成手段は、前記コンテンツに含まれるテキスト情報、画像情報のうち何れか一つ、または複数の組み合わせを前記配信データとし、前記データ配信手段は、前記配信先装置からの要求に応じ、該配信データを切り替えながら前記配信先装置に配信しても良い。この発明によれば、配信先装置からの要求に合わせたデータ配信が実現される。
【００１１】
また、本発明において、前記配信先装置からの前記要求は、フリックにより行われても良い。この発明によれば、配信先装置側が要求を行うための具体的手法が提供される。
【００１２】
また、本発明においては、前記ウェブページから取得した前記コンテンツを、内容に応じてカテゴライズするコンテンツカテゴライズ手段を更に備え、前記配信データ作成手段は、当該カテゴライズされたコンテンツを元にカテゴリ別の配信データを作成し、前記データ配信手段は、前記カテゴリ別の配信データを前記配信先装置からの要求に応じて切り替えながら前記配信先装置に配信しても良い。この発明によれば、配信先装置からの要求に合わせたデータ配信が実現される。
【発明の効果】
【００１３】
本発明によれば、利用者は面倒な操作を行うことなく、コミュニケーションサービス上で所定の関係で紐付けられた他者が興味関心を持った情報であり、且つ、ある特定の種類の情報コンテンツを自動的に抽出することができる。
【図面の簡単な説明】
【００１４】
【図１】ニュース抽出システム１の構成概要図である。
【図２】ニュース抽出装置１０、情報配信装置２０、および配信先装置３０のハードウェア構成図である。
【図３】短縮ＵＲＬサービス群５０内のデータベースをイメージしている図である。
【図４】ドメインブラックリスト格納部１１０内のデータベース（図４（Ａ））、およびドメインホワイトリスト格納部１１１内のデータベース（図４（Ｂ））をイメージしている図である。
【図５】ニュースサイトリスト格納部１１２内のデータベースをイメージしている図である。
【図６】図６（Ａ）はコンテンツ取得部１０６より取得され、コンテンツカテゴライズ部１０７よりカテゴライズされたコンテンツをイメージしている図である。図６（Ｂ）は配信データ作成部１０８より作成された配信データをイメージしている図である。
【図７】配信先装置３０の表示画面を示す図である。
【図８】情報配信装置２０が配信データを切り替えながらデータ配信を行った際の、配信先装置３０の表示画面の遷移を示す図である
【図９】ニュース抽出システム１の動作を示すフローチャートである。
【発明を実施するための形態】
【００１５】
以下、添付図面を参照して本発明にかかる情報抽出装置の好適な実施形態を詳細に説明する。なお、以下の説明においては、情報抽出装置の抽出する情報の種類としてニュースを例にし、情報抽出装置の説明としてニュース抽出システムおよびそれに含まれるニュース抽出装置について説明を行うものとする。また、所定の関係で紐付けられた他者の例として、ＳＮＳ上で友人関係にある者を例に説明するものとする。また、図面の説明において同一の要素には同一の符号を付し、重複する説明を省略する。
【００１６】
（ニュース抽出システム１の全体構成）
まず、本発明の実施形態に係るニュース抽出システム１の構成について、図１を参照しながら説明する。図１は、ニュース抽出システム１の構成概要図である。ニュース抽出システム１は、ニュース抽出装置１０、情報配信装置２０（特許請求の範囲の「データ配信手段」に相当）、配信先装置３０、ソーシャルメディア群４０、短縮ＵＲＬサービス群５０、外部ＵＲＬ検査サービス群６０、ＷＥＢサイト群７０、画像抽出モジュール８０を含んで構成され、各構成要素は互いに通信可能に接続されている。なお、図１の矢印は各構成要素間の通信ネットワークをイメージする。
【００１７】
ニュース抽出システム１では、ソーシャルメディア群４０の利用者が関心を持つニュース情報がニュース抽出装置１０により抽出され、配信先装置３０に配信される。このため、配信先装置３０の利用者は、ソーシャルメディア群４０上において友人関係にある利用者が関心を持つニュース情報を配信先装置３０を通じて閲覧できるようになる。ソーシャルメディア群４０の利用者と配信先装置３０の利用者とは、ソーシャルメディア群４０上において友人関係にあることを前提とする。以下、説明の便宜のために、配信先装置３０の利用者を「ユーザ」と記載し、配信先装置３０のユーザとソーシャルメディア群４０上において友人関係にあるソーシャルメディア群４０の利用者を「友人」と記載する。なお、友人は一人の友人を指すものではなく、複数の友人（友人群）を指すものである。また、ソーシャルメディア群４０とは、コミュニケーションサービス全般を指すものであり、ＳＮＳの他Ｗｅｂｌｏｇや電子掲示板、つぶやきサービスを含む総称である。
【００１８】
ニュース抽出装置１０は、友人が関心を持つニュース情報をＷＥＢサイト群７０から抽出するものである。情報配信装置２０は、ニュース抽出装置１０が抽出したニュース情報を配信先装置３０に配信するものである。配信先装置３０は、ユーザが、当該ユーザと友人関係にある友人が関心を持つニュース情報を閲覧するために使用するものである。本実施形態では携帯電話機３０Ａ、スマートフォン３０Ｂ、タブレットＰＣ３０Ｃ等を配信先装置３０として例示するが、これらに限られることはなく、ニュース情報を閲覧することが可能な端末装置であれば、配信先装置３０として採用できる。
【００１９】
図２はニュース抽出装置１０、情報配信装置２０、配信先装置３０のハードウェア構成図である。図２に示すように、ニュース抽出装置１０、情報配信装置２０、配信先装置３０は、物理的には、ＣＰＵ１１、２１、３１、ＲＯＭ１２、２２、３２およびＲＡＭ１３、２３、３３等の主記憶装置、キーボードおよびマウス等の入力デバイス１４、２４、３４、ディスプレイ等の出力デバイス１５、２５、３５、他の装置との間でデータの送受信を行うためのネットワークカード等の通信モジュール１６、２６、３６、ハードディスク等の補助記憶装置１７、２７、３７などを含む通常のコンピュータシステムまたはサーバシステムとして構成される。後述するニュース抽出装置１０、情報配信装置２０、配信先装置３０の各機能は、ＣＰＵ１１、２１、３１、ＲＯＭ１２、２２、３２、ＲＡＭ１３、２３、３３、等のハードウェア上に所定のコンピュータソフトウェアを読み込ませることにより、ＣＰＵ１１、２１、３１、の制御の元で入力デバイス１４、２４、３４、出力デバイス１５、２５、３５、通信モジュール１６、２６、３６を動作させると共に、主記憶装置１２、２２、３２，１３、２３、３３や補助記憶装置１７、２７、３７におけるデータの読み出しおよび書き込みを行うことで実現される。
【００２０】
（ニュース抽出装置１０の機能的な構成）
以下、ニュース抽出装置１０の機能的な構成について詳細に説明する。図１に示すように、ニュース抽出装置１０は、機能的には、利用者情報取得部１０１（特許請求の範囲の「利用者情報取得手段」に相当）、投稿内容取得部１０２（特許請求の範囲の「投稿内容取得手段」に相当）、ＵＲＬ抽出部１０３（特許請求の範囲の「アドレス抽出手段」に相当）、ＵＲＬ展開部１０４（特許請求の範囲の「アドレス展開手段」に相当）、ＵＲＬ判断部１０５（特許請求の範囲の「アドレス判断手段」に相当）、コンテンツ取得部１０６（特許請求の範囲の「コンテンツ取得手段」に相当）、コンテンツカテゴライズ部１０７（特許請求の範囲の「コンテンツカテゴライズ手段」に相当）、配信データ作成部１０８（特許請求の範囲の「配信データ作成手段」に相当）、抽出ＵＲＬドメインリスト格納部１０９、ドメインブラックリスト格納部１１０、ドメインホワイトリスト格納部１１１、ニュースサイトリスト格納部１１２、および配信データ格納部１１３を備えて構成される。
【００２１】
抽出ＵＲＬドメインリスト格納部１０９は、ＵＲＬ抽出部１０３により抽出されたＵＲＬのドメインや、ＵＲＬ展開部１０４により展開された短縮ＵＲＬの展開後ＵＲＬのドメインリストを格納するものである。ドメインブラックリスト格納部１１０は、配信先装置３０に配信しては好ましくないと判断されるドメインのリスト（ドメインブラックリスト）を格納するものである。ドメインホワイトリスト格納部１１１は、配信先装置３０に配信しても良いと判断されるドメインのリスト（ドメインホワイトリスト）を格納するものである。ニュースサイトリスト格納部１１２は、ニュースサイトドメインのリストを格納するものである。配信データ格納部１１３は、配信先装置３０に配信予定のデータを一時的に格納するものである。
【００２２】
利用者情報取得部１０１は、ＳＮＳを利用する利用者情報および当該利用者の友人情報をソーシャルメディア群４０より取得するものである。投稿内容取得部１０２は、利用者情報取得部１０１により取得された利用者情報および友人情報により特定される友人の投稿内容を示すデータを、ソーシャルメディア群４０から取得するものである。
【００２３】
ＵＲＬ抽出部１０３は、投稿内容取得部１０２がソーシャルメディア群４０から取得したデータの中から、ウェブサイトのアドレスを示す情報、すなわちＵＲＬ情報を抽出するものである。抽出されたＵＲＬのドメインは、抽出ＵＲＬドメインリスト格納部１０９に格納される。
【００２４】
ＵＲＬ展開部１０４は、ＵＲＬ抽出部１０３が抽出したＵＲＬが短縮ＵＲＬである場合に、当該短縮ＵＲＬを展開するものである。ＵＲＬ展開部１０４は、例えば、短縮ＵＲＬサービス群５０を利用することにより、短縮ＵＲＬの展開を行うことができる。この場合の処理は以下のように行われる。最初に、ＵＲＬ抽出部１０３が短縮ＵＲＬ（一例：http://$$$/###/）を抽出すると、ＵＲＬ展開部１０４がそれを短縮ＵＲＬサービス群５０に出力する。次に、短縮ＵＲＬサービス群５０では、内部に存在するデータベースを用いて、入力された短縮ＵＲＬに対応する元のＵＲＬ、つまり展開後のＵＲＬ（一例：http://www.news.news/news/$#.html/）をＵＲＬ展開部１０４に出力する。図３は短縮ＵＲＬサービス群５０内のデータベースをイメージしている図であり、短縮ＵＲＬ（一例：http://$$$/###/）に対応付けられて元のＵＲＬ（一例：http://www.news.news/news/$#.html/）が格納されている。ＵＲＬ展開部１０４に出力された展開後のＵＲＬは、抽出ＵＲＬドメインリスト格納部１０９に格納される。なお、外部の短縮ＵＲＬサービス群５０を利用することなく、ニュース抽出装置１０の内部に短縮ＵＲＬ展開用ドメインリスト格納部を備えることにより、短縮ＵＲＬの展開処理を行うように構成しても良い。
【００２５】
ＵＲＬ判断部１０５は、ＵＲＬ抽出部１０３が抽出したＵＲＬ、またはＵＲＬ展開部１０４が展開したＵＲＬのドメインがポルノサイトやマルウェア等の有害サイトのドメインか否か、およびニュースサイトのドメインか否かを判断するものである。有害サイトか否かの判断においては、当該ＵＲＬが、ドメインブラックリスト格納部１１０に格納されたドメインブラックリスト（一例：http://www.black1.black1.net/またはhttp://www.black2.black2.net/）、またはドメインホワイトリスト格納部１１１に格納されたドメインホワイトリスト（一例：http://www.news1.news1.com/またはhttp://www.news2.news2.com/）とマッチするか否かを判定することにより行われる。例えば、ドメインブラックリストとマッチしたことを理由に有害サイトであると判定しても良い。または、ドメインホワイトリストとマッチしなかったことを理由に有害サイトであると判定しても良い。更に、ドメインホワイトリストとマッチしたことを理由に有害サイトでないと判定しても良い。または、ドメインブラックリストとマッチせず、且つドメインホワイトリストとマッチしたことを理由に有害サイトでないと判定しても良い。図４（Ａ）はこの場合のドメインブラックリスト格納部１１０内のデータベースをイメージしており、図４（Ｂ）はこの場合のドメインホワイトリスト格納部１１１内のデータベースをイメージしている。
【００２６】
また、ＵＲＬ判断部１０５は、例えば、外部ＵＲＬ検査サービス群６０を利用することにより、ＵＲＬの有害性の判定を行うこともできる。この場合の処理は例えば以下のように行われる。最初に、ＵＲＬ判断部１０５が判定対象のＵＲＬを外部ＵＲＬ検査サービス群６０に出力する。次に、外部ＵＲＬ検査サービス群６０では、内部に存在するデータベースを用いて有害性の判定を行い、その結果をＵＲＬ判断部１０５に出力する。なお、図４は外部ＵＲＬ検査サービス群６０内のデータベースをイメージしている図としても参照することができる。
【００２７】
ニュースサイトか否かの判断においては、当該ＵＲＬが、ニュースサイトリスト格納部１１２に格納されたニュースサイトのドメインとマッチするか否かを判定することにより行われる。図５はこの場合のニュースサイトリスト格納部１１２内のデータベースをイメージしている。ＵＲＬ判断部１０５は、ＵＲＬ抽出部１０３により抽出されたＵＲＬのドメインまたはＵＲＬ展開部１０４により展開されたＵＲＬのドメインが、例えばhttp://www.news1.news1.com/であった場合に、図５のニュースサイトのドメインとマッチするため、当該ＵＲＬはニュースサイトのＵＲＬであると判定する。
【００２８】
コンテンツ取得部１０６は、ＵＲＬ判断部１０５が上記ＵＲＬは有害サイトのドメインでなく、且つニュースサイトのドメインであると判断した場合に、ＷＥＢサイト群７０内の当該ＵＲＬが示すニュースサイトからコンテンツを取得するものである。具体的には、ニュースのタイトルや本文、当該ニュースに組み込まれた画像（画像ＵＲＬ）等を抽出して取得するものであり、コンテンツ取得部１０６は、取得したコンテンツに対して言語判定、エンコード判定等の処理も行う。なお、画像抽出については、ニュースのタイトルや本文の抽出・取得とは別に、外部に存在する画像抽出モジュール８０を介して抽出・取得を行うように構成しても良い。
【００２９】
コンテンツカテゴライズ部１０７は、コンテンツ取得部１０６がニュースサイトから取得したコンテンツを解析し、当該コンテンツを内容に応じてカテゴライズするものである。コンテンツカテゴライズ部１０７は、ニュースのタイトルや本文、当該ニュースの画像のヘッダを解析してカテゴライズしても良いし、ＵＲＬのディレクトリ、ファイル名等に含まれる特定の文字列に基づき、カテゴライズを行うようにしても良い。例えば、各コンテンツが、テクノロジー・ＩＴのカテゴリ、音楽のカテゴリ、スポーツのカテゴリ等にカテゴライズされ、ＵＲＬに「music」の文字列が含まれている場合は、音楽のカテゴリに分類される。
【００３０】
配信データ作成部１０８は、コンテンツ取得部１０６がニュースサイトから取得したコンテンツ、またはコンテンツカテゴライズ部１０７がカテゴライズしたコンテンツを元に配信データを作成するものである。
【００３１】
配信データ作成部１０８により作成された配信データは、配信データ格納部１１３に格納され、情報配信装置２０は、この格納された配信データを配信先装置３０に配信する。情報配信装置２０は、ニュースのタイトルや本文、ニュースに組み込まれた画像のうち何れか一つ、または複数の組み合わせを配信データとする。配信データに基づくニュースの表示形態としては、「ニュースタイトルおよび画像を表示（なお、ここでの画像はニュースに組み込まれた画像でも良いし、ニュースサイトでの表示内容を画像として取り込んだキャプチャー画像でも良い。）」、「ニュースタイトル、本文および画像の表示」「ニュースタイトルおよび本文のテキスト表示」、「画像のみの表示」等がある（後述の図７および図８参照）。情報配信装置２０は、配信先装置３０からのニュースの表示形態に関する要求に応じ、配信データを切り替えながら配信先装置３０に配信することができる。なお、配信先装置３０からの表示形態に関する要求が、画像を含む表示形態の要求であっても、ニュースに組み込まれた画像が存在しない場合には、テキストのみの表示を行う処理をする。また、情報配信装置２０は、カテゴリ別の配信データを、配信先装置３０からの要求に応じて切り替えながら配信することもできる。ここで、配信先装置３０からの上記要求は、例えばフリックや、スクロール、タップ等の画面操作により行われる。
【００３２】
図６（Ａ）はコンテンツ取得部１０６より取得され、コンテンツカテゴライズ部１０７よりカテゴライズされたコンテンツのデータ例である。コンテンツ１は、（ａ）ニュースのＵＲＬが「http://・・・/news1/」であり、（ｂ）カテゴリは「テクノロジー・ＩＴ」であり、（ｃ）タイトルが「title1」であり、（ｄ）本文のテキストが「main1」であり、（ｅ）画像のＵＲＬが「http: //・・・/image1/」である。コンテンツ２についても同図に示す通りであるが、コンテンツ２においては画像のＵＲＬが存在しない。
【００３３】
図６（Ｂ）は配信データ作成部１０８より作成された配信データの一例である。配信データ作成部１０８は、例えば、「ニュースタイトル、本文および画像の表示」との旨の配信先装置３０からの要求に応じて、コンテンツ１をベースに、配信データ１−１を作成する。この場合、配信データ１−１は、（ａ）ニュースのＵＲＬ、（ｂ）カテゴリ、（ｃ）タイトル、（ｄ）本文のテキスト、（ｅ）画像のＵＲＬの全ての要素に基づき作成される。
【００３４】
また、配信データ作成部１０８は、例えば、「ニュースタイトルおよび本文のテキスト表示」との旨の配信先装置３０からの要求に応じて、コンテンツ１の（ａ）ニュースのＵＲＬ、（ｃ）タイトル、（ｄ）本文のテキストの要素に基づき配信データ１−２を作成する。同様に、配信データ作成部１０８は、配信先装置３０からのニュースの表示形態に関する要求に応じて、各コンテンツをベースに、配信データ１−３、１−４、２−１、２−２等を作成する。
【００３５】
情報配信装置２０は、配信先装置３０からの要求に応じ、図６で例示した配信データを切り替えながらデータ配信を行うことができ、例えばユーザが配信先装置３０の表示画面上で横フリック操作をする毎に、配信データ１−１、配信データ１−２、配信データ１−３、配信データ１−４の順に、配信データを切り替えながらデータ配信を行うことができる。また、情報配信装置２０は、配信先装置３０からの要求に応じ、カテゴリ別にカテゴライズされていない配信データとカテゴリ別の配信データとを切り替えてデータ配信を行うことができる。例えば、当初友人が注目するニュースを表示していた場合（ニュース内容によりカテゴライズされていない状態）、これをカテゴリ別にカテゴライズされた状態（「テクノロジー・ＩＴ」、「音楽」等の順）で配信先装置３０にて表示させることができる。
【００３６】
図７は、配信先装置３０の表示画面を示す図である。図７（Ａ）は、配信先装置３０においてアプリケーション起動時に表示されるＴＯＰ画面の図であり、ユーザの友人を表示する部分、友人が注目するニュースの見出しを表示する部分（［ニュース］友達が注目−ヘッドライン−）、及び世の中でトピックになっているニュースの見出しを表示する部分（［ニュース］世間が注目−ヘッドライン−）と各種操作ボタンを表示する部分とから構成されている。「［ニュース］友達が注目−ヘッドライン−」部分には、実際のニュースサイトで表示されている内容が小さく縮小されたタイル状のサムネイル画像が見出しとして表示されている。配信先装置３０のユーザは、ニュースのタイトル（title1、title2、title3等、又は、ニュース本文の一部を表示するようにしても良い）を確認した後に、縮小表示されたサムネイル画像をタップすることにより、実際のニュースサイトにアクセスし、ニュースの全文を確認することができる。また、配信先装置３０のユーザは、サムネイル画像をフリックすることにより、表示画面に表示されていない別のニュース（title3に続くtitle４、５・・・のニュース）についてのサムネイル画像を閲覧することができる。
【００３７】
「［ニュース］友達が注目−ヘッドライン−」の上段には、ソーシャルメディア群４０上においてユーザと友人関係にある友人の画像が表示されている。ユーザは友人の画像の何れかをタップすることにより、例えば、「［ニュース］友達が注目−ヘッドライン−」に表示されたニュースの見出し（サムネイル画像）を、当該タップされた友人が関心を持つニュースの見出し（サムネイル画像）に切り替えるように構成しても良い。
【００３８】
「［ニュース］世間が注目−ヘッドライン−」部分には、友人が関心を持つニュース以外のニュース（当該時点で世の中でトピックになっているニュース）が見出しとして表示されている。画面下部には、「タイムライン」、「メッセージ」、「ニュース」、「ホットトピック」のタブボタンが配置されており、「ニュース」タブボタンをタップすると、図７（Ｂ）に示すようなリスト形式でニュースが表示される。リスト形式で表示されたニュースは、図７（Ｂ）に示す画面下部の「世間が注目」、「友達が注目」のタブボタンを操作することにより、世間が注目するニュースのリストと友達が注目するニュースのリストを切り替えることができる。また、図７（Ａ）の「タイムライン」タブボタンをタップすると、ニュース情報に限定されず、投稿内容取得部１０２が取得した友人の投稿内容が投稿時間順に表示される。
【００３９】
また、「［ニュース］友達が注目−ヘッドライン−」に見出しとして表示されるニュースのうち、何れのニュースを優先的に表示（画面遷移後に始めに表示）させるニュースとするかについては、例えば、友人情報としてユーザと友人との親密度を示す情報を取得し、複数の友人のうち親密度の高い友人の注目するニュースを優先的に表示するように構成しても良い。また、「［ニュース］友達が注目−ヘッドライン−」の上段に表示された友人を含む全ての友人のうち、例えば、直近1カ月の間にコミュニケーションした頻度の高い友人を親密であると判断し、当該友人の注目するニュースを優先的に表示するように構成しても良く、友人情報やその他各種情報を用いた表示方法には他にも工夫の余地がある。
【００４０】
図８は、情報配信装置２０が配信データを切り替えながらデータ配信を行った際の、配信先装置３０の表示画面の遷移を示す図である。図８（Ａ）は、「ニュースのタイトル、本文および画像の表示」との旨の配信先装置３０からの要求があった場合の、配信先装置３０の表示画面の様子を示す図である。また、図８（Ｂ）は、図８（Ａ）に示す表示画面の状態で、配信先装置３０において所定の操作がなされ、カテゴリ別にカテゴライズされたニュースが表示された表示画面の様子を示す図である。また、図８（Ｃ）は、図８（Ｂ）に示す表示画面の状態で、配信先装置３０において所定の操作がなされ、画像のみが表示された表示画面の様子を示す図である。上述したように、図８（Ａ）、図８（Ｂ）、図８（Ｃ）間の切り替えは、例えばフリック、スクロール、タップ等の画面操作による配信先装置３０からの要求をきっかけとして行われる。
【００４１】
（ニュース抽出システム１の動作）
続いて、ニュース抽出システム１により行われる動作について、図９を更に参照しながら説明する。図９は、ニュース抽出システム１の動作を示すフローチャートである。
【００４２】
最初に、利用者情報取得部１０１が、ユーザの利用者情報および友人情報をソーシャルメディア群４０から取得する（ステップＳ１０１）。次に、投稿内容取得部１０２が、利用者情報取得部１０１により取得された利用者情報および友人情報に基づいて特定される友人の投稿内容を示すデータを、ソーシャルメディア群４０から取得する（ステップＳ１０２）。次に、ＵＲＬ抽出部１０３が、投稿内容取得部１０２がソーシャルメディア群４０から取得したデータの中から、ウェブサイトのアドレスを示す情報、すなわちＵＲＬ情報を抽出する（ステップＳ１０３）。
【００４３】
次に、ＵＲＬ展開部１０４が、ＵＲＬ抽出部１０３が抽出したＵＲＬが短縮ＵＲＬであるか否かの判定を行い（ステップＳ１０３）、短縮ＵＲＬである場合は（ステップＳ１０４のＹｅｓ）、当該短縮ＵＲＬを展開する（ステップＳ１０５）。一方、短縮ＵＲＬでない場合（ステップＳ１０４のＮｏ）、抽出したＵＲＬのドメインは抽出ＵＲＬドメインリスト格納部１０９に格納される（ステップＳ１０６）。次に、ＵＲＬ判断部１０５が、ＵＲＬ抽出部１０３が抽出したＵＲＬ、またはＵＲＬ展開部１０４が展開したＵＲＬがポルノサイトやマルウェア等の有害サイトのドメインか否か、およびニュースサイトのドメインか否かを判断する（ステップＳ１０７）。
【００４４】
次に、コンテンツ取得部１０６が、ＵＲＬ判断部１０５が上記ＵＲＬは有害サイトのドメインでなく、且つニュースサイトのドメインであると判断した場合に、ＷＥＢサイト群７０内の当該ＵＲＬが示すウェブページからコンテンツを取得する（ステップＳ１０８）。次に、コンテンツカテゴライズ部１０７が、コンテンツ取得部１０６が上記ウェブページから取得したコンテンツを解析し、当該コンテンツを内容に応じてカテゴライズする（ステップＳ１０９）。
【００４５】
次に、配信データ作成部１０８が、コンテンツ取得部１０６が上記ウェブページから取得したコンテンツ、またはコンテンツカテゴライズ部１０７がカテゴライズしたコンテンツを元に配信データを作成する（ステップＳ１１０）。次に、情報配信装置２０が、配信データ格納部１１３に格納された配信データを配信先装置３０に配信する（ステップＳ１１１）。
【００４６】
（ニュース抽出システム１の作用および効果）
続いて、本実施形態にかかるニュース抽出システム１の作用および効果について説明する。本実施形態のニュース抽出システム１によれば、ニュース抽出装置１０の各構成要素による一連の動作により、多数の友人の投稿の中からＵＲＬを抽出し、当該ＵＲＬがニュースサイトのＵＲＬである場合のみコンテンツ（ニュースタイトルや本文、画像等の詳細な情報）を取得・抽出することができる。これを、友人が注目するニュースとして配信先装置３０に配信・表示することにより、ユーザは、友人が関心を持つニュースを閲覧することができる。
【００４７】
また、本実施形態によれば、抽出したＵＲＬが短縮ＵＲＬである場合にも、友人が関心を持つニュースを抽出することができる。また、本実施形態によれば、有害サイトからのコンテンツが配信されることを防止できる。また、本実施形態によれば、配信先装置３０からの要求に合わせたデータ配信が実現される。また、本実施形態によれば、配信先装置３０側が要求を行うための具体的手法が提供される。
【００４８】
以上、本発明の好適な実施形態について説明したが、本発明は上記実施形態に限定されないことは言うまでもない。
【００４９】
例えば、上記実施形態においては、ニュース抽出装置１０と情報配信装置２０を別個の装置として構成したが、これに限られることなく、ニュース抽出装置１０と情報配信装置２０を一つの装置として構成し、ニュース抽出装置１０が情報配信装置２０を含むように構成しても良い。
【００５０】
また、例えば、上記実施形態においては、本発明の情報抽出装置の抽出する情報の種類としてニュースを例にして説明したが、これに限られることなく、例えばグルメ情報等であっても良い。
【符号の説明】
【００５１】
１…ニュース抽出システム、１０…ニュース抽出装置、２０…情報配信装置、３０…配信先装置、４０…ソーシャルメディア群、５０…短縮ＵＲＬサービス群、６０…外部ＵＲＬ検査サービス群、７０…ＷＥＢサイト群、８０…画像抽出モジュール、１０１…利用者情報取得部、１０２…投稿内容取得部、１０３…ＵＲＬ抽出部、１０４…ＵＲＬ展開部、１０５…ＵＲＬ判断部、１０６…コンテンツ取得部、１０７…コンテンツカテゴライズ部、１０８…配信データ作成部、１０９…抽出ＵＲＬドメインリスト格納部、１１０…ドメインブラックリスト格納部、１１１…ドメインホワイトリスト格納部、１１２…ニュースサイトリスト格納部、１１３…配信データ格納部。
【図１】
2012256252.tif 000003
【図２】
2012256252.tif 000004
【図３】
2012256252.tif 000005
【図４】
2012256252.tif 000006
【図５】
2012256252.tif 000007
【図６】
2012256252.tif 000008
【図７】
2012256252.tif 000009
【図８】
2012256252.tif 000010
【図９】
2012256252.tif 000011